(57)【要約】【課題】ボールタップ本体から延びるワイヤーおよび該ワイヤーに設けられた操作部を有するボールタップの取付作業性を向上する。【解決手段】洗浄水タンク装置１０は、洗浄水を貯水するロータンク１１と、ロータンク１１内に給水するボールタップ１２とを備える。ボールタップ１２は、ボールタップ本体４０と、ボールタップ本体４０をロータンク１１内に固定するための固定部４１と、ボールタップ本体４０から延びるワイヤー４２と、ワイヤー４２に設けられた操作部４３とを有する。ロータンク１１の右側面１１ａには固定用開口部４５が形成され、右側面１１ａに対して９０度角度付けされた背面１１ｂにワイヤー通し用開口部４６が形成される。固定用開口部４５に固定部４１が挿入されることでボールタップ本体４０がロータンク１１内に固定されるとともに、ワイヤー通し用開口部４６を通ってワイヤー４２がロータンク１１の外側に導かれる。【選択図】図３
2015190177.tif 000002
【特許請求の範囲】
【請求項１】
洗浄水を貯水するタンクと、
前記タンク内に給水するボールタップであって、ボールタップ本体と、前記ボールタップ本体を前記タンク内に固定するための固定部と、前記ボールタップ本体から延びる連結部材と、前記連結部材に設けられた操作部とを有するボールタップと、
を備え、
前記タンクの第１側面に、第１開口部が形成され、
前記第１側面に対して角度付けされた前記タンクの第２側面に、第２開口部が形成され、
前記第１開口部に前記固定部が挿入されることで前記ボールタップ本体が前記タンク内に固定されるとともに、前記第２開口部を通って前記連結部材が前記タンクの外側に導かれることを特徴とする洗浄水タンク装置。
【請求項２】
前記第１開口部は、貫通穴であり、
前記第２開口部は、切り欠き穴であることを特徴とする請求項１に記載の洗浄水タンク装置。
【請求項３】
前記第２開口部は、上方から下方にかけて開口が狭くなるテーパ部を有することを特徴とする請求項２に記載の洗浄水タンク装置。
【請求項４】
前記操作部は、前記連結部材を介して前記ボールタップの開弁および閉弁を操作可能に構成されることを特徴とする請求項１から３のいずれかに記載の洗浄水タンク装置。
【発明の詳細な説明】
【技術分野】
【０００１】
本発明は、トイレに用いられる洗浄水タンク装置に関する。
【背景技術】
【０００２】
従来より、トイレの室内空間を有効利用するため、洋風便器とキャビネットを一体化したトイレユニットが提案されている。このユニットでは、洋風便器の後部にキャビネットが設置される。キャビネットには、物品の収納部の他に、ロータンクの収納部が設けられ、物品の収納空間を確保しつつすっきりとした外観が得られる（例えば特許文献１参照）。
【先行技術文献】
【特許文献】
【０００３】
【特許文献１】特開２００６−０００４０２号公報
【発明の概要】
【発明が解決しようとする課題】
【０００４】
ところで、ロータンク内に設けられるボールタップには、ボールタップ本体から延びるワイヤーと、該ワイヤーを介してボールタップの開弁および閉弁を操作する操作部とを備える寒冷地仕様のボールタップが知られている。操作部によってボールタップを開弁しておくことで常にボールタップに水を流し、凍結によるボールタップの故障を防止するのである。このようなボールタップにおいては、ボールタップ本体はロータンク内に固定され、操作部はワイヤーを介してロータンクの外側に設けられる。従って、ボールタップを設ける際には、ボールタップ本体をロータンクに固定しつつ、ワイヤーをロータンクの内部から外部に延在させるという作業が必要となる。
【０００５】
本発明は、このような課題に鑑みてなされ、その目的は、ボールタップ本体から延びる連結部材および該連結部材に設けられた操作部を有するボールタップの取付作業性を向上できる洗浄水タンク装置を提供することにある。
【課題を解決するための手段】
【０００６】
上記課題を解決するために、本発明のある態様の洗浄水タンク装置は、洗浄水を貯水するタンクと、タンク内に給水するボールタップであって、ボールタップ本体と、ボールタップ本体をタンク内に固定するための固定部と、ボールタップ本体から延びる連結部材と、連結部材に設けられた操作部とを有するボールタップとを備える。タンクの第１側面に、第１開口部が形成され、第１側面に対して角度付けされたタンクの第２側面に、第２開口部が形成される。第１開口部に固定部が挿入されることでボールタップ本体がタンク内に固定されるとともに、第２開口部を通って連結部材がタンクの外側に導かれる。
【０００７】
この態様によると、固定部が第１開口部に固定されると連結部材が第２開口部を通ってタンクの内側から外側に導かれるため、ボールタップの取付が容易となり、取付作業性を向上できる。
【０００８】
第１開口部は、貫通穴であり、第２開口部は、切り欠き穴であってもよい。第１開口部を貫通穴とすることで、ボールタップ本体を強固にタンクに固定できる。また、第２開口部を切り欠き穴とすることで、連結部材の挿入が容易となる。
【０００９】
第２開口部は、上方から下方にかけて開口が狭くなるテーパ部を有してもよい。この場合、連結部材の端部をテーパ部に当接させて滑らせながら固定部を第１開口部に挿入することができる。テーパ部が固定部を第１開口部に導くガイドとして機能するため、ボールタップの取付作業性をさらに向上できる。
【００１０】
操作部は、連結部材を介してボールタップの開弁および閉弁を操作可能に構成されてもよい。この場合、操作部を操作してボールタップ本体を開弁しておくことで常にボールタップから水が流れるようになり、凍結によるボールタップ本体の故障を防止することができる。
【発明の効果】
【００１１】
本発明によれば、ボールタップ本体から延びる連結部材および該連結部材に設けられた操作部を有するボールタップの取付作業性を向上できる洗浄水タンク装置を提供できる。
【図面の簡単な説明】
【００１２】
【図１】本発明の実施形態に係る洗浄水タンク装置が用いられるトイレユニットを示す斜視図である。
【図２】本発明の実施形態に係る洗浄水タンク装置を説明するための斜視図である。
【図３】ボールタップのロータンクへの取付方法を説明するための図である。
【図４】ボールタップがロータンクに取り付けられた様子を示す図である。
【図５】ワイヤー通し用開口部（図３におけるＡ部）の拡大図である。
【発明を実施するための形態】
【００１３】
以下、図面を参照して本発明の実施形態に係る洗浄水タンク装置について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１４】
図１は、本発明の実施形態に係る洗浄水タンク装置１０が用いられるトイレユニット１００を示す斜視図である。トイレユニット１００は、キャビネット１１０と、便器１２０と、手洗装置１３０を備える。
【００１５】
キャビネット１１０には、洗浄水タンク装置１０が収容されるタンク収納部（図示せず）が設けられ、タンク収納部の前方には前板１１１が設けられる。前板１１１の前方には便器１２０が設置される。前板１１１の左右方向両側には側板１１３が開閉可能に設けられ、側板１１３の奥側には物品収納部（図示せず）が設けられる。キャビネット１１０の上部にはカウンター１１５が設置され、カウンター１１５の左右方向の一端側には手洗装置１３０が設置される。
【００１６】
図２は、本発明の実施形態に係る洗浄水タンク装置１０を説明するための斜視図である。図２に示すように、洗浄水タンク装置１０は、洗浄水を貯水するロータンク１１と、ロータンク１１内への給水および止水を制御するボールタップ１２と、タンクレバー１３と、オーバーフロー管１４と、排水弁１７と、排水弁１７に接続された鎖１８と、手洗装置１３０（図１参照）に給水するための給水管１９と、内タンク部２０とを備える。内タンク部２０は、ロータンク１１内に固定されており、内タンク本体２１と、水位調整部材２２とを備える。ボールタップ１２は、内タンク部２０内に設けられる浮き１５と、該浮き１５と連結されたアーム１６と、ロータンク１１内に洗浄水を給水するための洗浄水給水部３６とを含む。内タンク部２０は、ロータンク１１内に貯水された水の一部を内部に流入させ、内部に貯まった水で浮き１５を動作させる。浮き１５の動作により、ロータンク１１内への給水および止水が制御される。
【００１７】
洗浄水タンク装置１０において、ロータンク１１内に水が貯まった状態でタンクレバー１３が回されると、これに連動して鎖１８が引き上げられて排水弁１７が開いて水が便器に流れる。
【００１８】
ロータンク１１内の水位が下がると、それに連動して排水弁１７が閉じる。また、水が便器に流れ出てロータンク１１の水位が下がると、内タンク部２０内に設けられた浮き１５も下がり、アーム１６を介してボールタップ１２が開弁して洗浄水給水部３６から水がロータンク１１内に供給される。ロータンク１１の水位が上昇すると、水位調整部材２２の上端から内タンク本体２１内へ水が流入する。
【００１９】
水位調整部材２２の上端から流入した水は、内タンク本体２１の水位を上げる。内タンク部２０の水位が上がると浮き１５も上がり、アーム１６を介してボールタップ１２が閉弁してロータンク１１内への給水が止まる。ロータンク１１内に立設されたオーバーフロー管１４は、ボールタップ１２が故障した際に、ロータンク１１外に水があふれるのを防ぐ役割を有する。
【００２０】
本実施形態において、ボールタップ１２は、所謂寒冷地仕様のボールタップであり、ロータンク内に固定されるボールタップ本体４０と、ボールタップ本体４０をロータンク１１内に固定するための固定部４１と、ボールタップ本体４０から延びる連結部材としてのワイヤー４２と、ワイヤー４２の先端に設けられた操作部４３とを有する。
【００２１】
このボールタップ１２において、操作部４３を操作すると、該操作がワイヤー４２を介してボールタップ本体４０に伝わり、ボールタップ本体４０が開弁または閉弁する。操作部４３を操作してボールタップ本体４０を開弁しておくことで常にボールタップから水が流れるようになり、凍結によるボールタップ本体４０の故障を防止することが可能となる。操作部４３は、図１に示すキャビネット１１０の物品収納部に取り付けられる。トイレの使用者は、側板１１３を開けて操作部４３の操作を行う。
【００２２】
図３は、ボールタップ１２のロータンク１１への取付方法を説明するための図である。ロータンク１１の右側面１１ａの上部には、ボールタップ１２の固定部４１を挿入して固定するための固定用開口部４５が形成されている。また、ロータンク１１の背面１１ｂには、ボールタップ１２のワイヤー４２をロータンク１１の内側から外側に通すためのワイヤー通し用開口部４６が形成されている。ロータンク１１の背面１１ｂは、右側面１１ａに対して９０度角度付けされている。
【００２３】
図３に示すように、固定用開口部４５は、ロータンク１１の右側面１１ａを貫通する貫通穴に形成されている。本実施形態ではボールタップ１２の固定部４１が四角形状であるため貫通穴の形状も四角形状とされているが、固定部４１の形状は四角形状に限定されず、ボールタップ１２の固定部４１に対応した形状（すなわち、固定部４１を挿入可能な形状）であればよい。
【００２４】
ワイヤー通し用開口部４６は、ロータンク１１の背面１１ｂを上端から切り欠いた切り欠き穴に形成されている。ワイヤー通し用開口部４６の左側壁は、図３に示すように上方から下方にかけて開口が狭くなるテーパ部４７とされており、ワイヤー通し用開口部４６の底壁は、水平方向に延びる水平部４９とされている。
【００２５】
また、ボールタップ１２において、ワイヤー４２のボールタップ本体側の端部４２ａの延出方向は、固定部４１の固定用開口部４５への挿入方向に対して９０度角度付けされている。また、図３に示すように、ボールタップ本体４０のワイヤー４２側の端部に、フランジ部４０ａが設けられていてもよい。
【００２６】
本実施形態に係る洗浄水タンク装置１０において、ボールタップ１２をロータンク１１に装着する場合、まずロータンク１１の上方からボールタップ１２をロータンク１１内に入れ、固定部４１を固定用開口部４５内に挿入する。このとき、ワイヤー４２は、ボールタップ本体側の端部４２ａがテーパ部４７に当接して滑りながらワイヤー通し用開口部４６内に挿入される。
【００２７】
図４は、ボールタップ１２がロータンク１１に取り付けられた様子を示す。ロータンク１１の右側面１１ａに形成された固定用開口部４５にボールタップ１２の固定部４１が挿入されることでボールタップ本体４０がロータンク１１内に固定されるとともに、ワイヤー通し用開口部４６を通ってワイヤー４２がロータンク１１の外側に導かれている。
【００２８】
図４に示すように、ボールタップ１２がロータンク１１に取り付けられたとき、ボールタップ本体４０に設けられたフランジ部４０ａが、ワイヤー通し用開口部４６のテーパ部４７と水平部４９に当接支持されてもよい。このようにボールタップ本体４０のフランジ部４０ａを当接支持することで、より確実にボールタップ１２をロータンク１１に固定することができる。
【００２９】
ボールタップ１２がロータンク１１に取り付けられた後、内蓋５０がロータンク上方の開口部を覆うように取り付けられる。
【００３０】
図５は、ワイヤー通し用開口部４６（図３におけるＡ部）の拡大図である。図５に示すように、ワイヤー通し用開口部４６を形成する背面１１ｂの周縁部（テーパ部４７、水平部４９など）には、リブ４８が形成されていてもよい。このようにリブ４８を設けることで、ボールタップ本体４０のフランジ部４０ａを当接支持した場合でも、ワイヤー通し用開口部４６の変形を防止することができる。
【００３１】
以上、本実施形態に係る洗浄水タンク装置１０について説明した。洗浄水タンク装置１０においては、ロータンク１１の右側面１１ａに固定用開口部４５を形成し、右側面１１ａに対して９０度角度付けされたロータンク１１の背面１１ｂにワイヤー通し用開口部４６を形成した。これにより、固定部４１が固定用開口部４５に固定されるとワイヤー４２がワイヤー通し用開口部４６を通ってロータンクの内側から外側に導かれるため、ボールタップの取付が容易となり、取付作業性を向上できる。
【００３２】
また、洗浄水タンク装置１０においては、ワイヤー通し用開口部４６にテーパ部４７を設けたことにより、ワイヤー４２の端部４２ａをテーパ部４７に当接させて滑らせながら固定部４１を固定用開口部４５に挿入することができる。テーパ部４７が固定部４１を固定用開口部４５に導くガイドとして機能するため、ボールタップの取付作業性をさらに向上できる。
【００３３】
また、洗浄水タンク装置１０においては、ロータンク１１の背面１１ｂからワイヤー４２を外部に導く構造を採用したことにより、内蓋５０からワイヤー４２を外部に導く構成と比較して、洗浄水タンク装置１０の高さを低くすることができる。その結果、洗浄水タンク装置１０が収容されるキャビネット１１０のサイズをコンパクトにすることができる。
【００３４】
また、洗浄水タンク装置１０においては、固定用開口部４５を貫通穴とし、ワイヤー通し用開口部４６を切り欠き穴とした。固定用開口部４５を貫通穴としたことにより、固定用開口部４５を切り欠き穴とした場合と比較して、ボールタップ本体４０をより強固にロータンク１１に固定できる。その結果、ボールタップ本体４０が浮き１５からアーム１６を介して力を受けた場合でもボールタップ本体４０の変動が抑制され、好適にロータンク１１の水位を調整することができる。また、ワイヤー通し用開口部４６を切り欠き穴としたことにより、ワイヤー通し用開口部４６内へのワイヤー４２の挿入が容易となる。
【００３５】
上記では、ワイヤー４２の先端に開弁および閉弁を操作する操作部が設けられたボールタップ１２について説明したが、ロータンク１１に取り付け可能なボールタップはこれに限定されない。ボールタップは、例えば、ボールタップ本体内に例えば電熱線等により形成されたヒーター部が設けられ、操作部によって該ヒーター部に流れる電流を変化させることでボールタップ内を流れる水を温めることができるものであってもよい。
【００３６】
また上記では、ボールタップ本体４０と操作部４３とがワイヤー４２で連結される実施形態を説明したが、連結部材はワイヤーに限定されず、ボールタップ本体４０と操作部４３を連結する部材であればよい。
【００３７】
また上記では、洗浄水を貯水するタンクとしてロータンクを例示したが、タンクはロータンクに限定されず、例えばハイタンクであってもよい。
【００３８】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３９】
１０  洗浄水タンク装置、  １１  ロータンク、  １２  ボールタップ、  １３  タンクレバー、  ２０  内タンク部、  ４０  ボールタップ本体、  ４１  固定部、  ４２  ワイヤー、  ４３  操作部、  ４５  固定用開口部、  ４６  ワイヤー通し用開口部、  ４７  テーパ部、  ４８  リブ、  ５０  内蓋、  １００  トイレユニット、  １１０  キャビネット、  １２０  便器。
【図１】
2015190177.tif 000003
【図２】
2015190177.tif 000004
【図５】
2015190177.tif 000005
【図３】
2015190177.tif 000006
【図４】
2015190177.tif 000007